(57)【特許請求の範囲】
【請求項１】
駆動ＩＣに制御信号を出力する表示駆動装置であって、
前記駆動ＩＣは、カスケード構造に複数連結され、最初の駆動ＩＣに同期信号に基づいて前記表示駆動装置が生成した第１制御信号が入力されることで、前記第１制御信号が駆動ＩＣにより遅延された伝達信号をカスケード方式で次の駆動ＩＣに伝達し、
前記表示駆動装置は、
前記複数の駆動ＩＣそれぞれの前記伝達信号に対して、前記非正常駆動ＩＣが出力すべき前記伝達信号を前記同期信号に基づいて回復させた回復信号を生成する回復信号生成部と、
前記複数の駆動ＩＣのうち、正常に動作しない非正常駆動ＩＣを検出する不良検出部と、
前記非正常駆動ＩＣより後段に連結された駆動ＩＣに前記回復信号を出力する回復信号出力部と、
前記不良検出部により前記非正常駆動ＩＣが検出されたときに、前記非正常駆動ＩＣの表示データを、前記非正常駆動ＩＣ以外の少なくとも一つの正常駆動ＩＣを通じて出力するように制御する代替表示制御部と、を備え、
前記代替表示制御部は、重要データを表示する重要領域に対する情報と前記重要領域にデータを表示できない場合に前記重要領域の代わりにデータを表示できる代替領域についての情報を保存する重要領域情報保存部と、前記不良検出部から前記非正常駆動ＩＣ情報を入力されて前記非正常駆動ＩＣが駆動するピクセル領域が重要領域であるか否かを判断する代替要件判断部と、前記非正常駆動ＩＣが駆動するピクセル領域が重要領域であれば非正常駆動ＩＣが駆動する重要領域に表示されるデータを前記代替領域に表示するように元の入力画像データを修正して出力する代替データ生成部を有することを特徴とする表示駆動装置。
【請求項２】
前記回復信号生成部は、前記複数の駆動ＩＣそれぞれの前記伝達信号と同じタイミングで、前記回復信号を生成することを特徴とする請求項１に記載の表示駆動装置。
【請求項３】
前記回復信号生成部は、垂直同期信号、水平同期信号及び前記第１制御信号のうち少なくとも一つまたはこれらの組み合わせに基づいて、前記回復信号を生成することを特徴とする請求項１または２に記載の表示駆動装置。
【請求項４】
前記不良検出部は、
前記複数の駆動ＩＣそれぞれから出力される伝達信号を検出する伝達信号検出部と、
前記検出された伝達信号と前記回復信号とを比較して、前記非正常駆動ＩＣを検出する比較部と、を備えることを特徴とする請求項１〜３のいずれか一項に記載の表示駆動装置。
【請求項５】
前記比較部は、前記検出された伝達信号と前記回復信号とが異なる駆動ＩＣを前記非正常駆動ＩＣと判断することを特徴とする請求項４に記載の表示駆動装置。
【請求項６】
前記第１制御信号を生成して、前記最初の駆動ＩＣに印加するタイミング生成部をさらに備えることを特徴とする請求項１〜５のいずれか一項に記載の表示駆動装置。
【請求項７】
前記タイミング生成部は、垂直同期信号及び水平同期信号に基づいて、前記第１制御信号を生成し、
前記回復信号生成部は、前記垂直同期信号、前記水平同期信号及び前記第１制御信号のうち少なくとも一つまたはこれらの組み合わせに基づいて、前記回復信号を生成することを特徴とする請求項６に記載の表示駆動装置。
【請求項８】
前記回復信号生成部は、前記表示駆動装置により駆動される表示装置の解像度、または前記駆動ＩＣの個数を表す予め保存された駆動情報にさらに基づいて、前記回復信号を生成し、
前記表示駆動装置は、前記駆動情報を保存するレジスタをさらに備えることを特徴とする請求項３または７に記載の表示駆動装置。
【請求項９】
前記複数の駆動ＩＣは、データ駆動回路の駆動ＩＣであり、前記第１制御信号は、水平同期開始信号であることを特徴とする請求項１〜８のいずれか一項に記載の表示駆動装置。
【請求項１０】
前記複数の駆動ＩＣは、走査駆動回路の駆動ＩＣであり、前記第１制御信号は、垂直同期開始信号であることを特徴とする請求項１〜９のいずれか一項に記載の表示駆動装置。
【請求項１１】
前記複数の駆動ＩＣの前記伝達信号が伝達される方向であるカスケード方向を調節するカスケード方向調節部をさらに備えることを特徴とする請求項１〜１０のいずれか一項に記載の表示駆動装置。
【請求項１２】
カスケード構造に連結され、最初の駆動ＩＣに第１制御信号が入力されることで、前記第１制御信号に対応する伝達信号をカスケード方式で次の駆動ＩＣに伝達する前記複数の駆動ＩＣをさらに備えることを特徴とする請求項１〜１１のいずれか一項に記載の表示駆動装置。
【請求項１３】
少なくとも一つの発光素子及び画素回路を備える複数の画素を含む表示部と、
第１制御信号を生成して出力するタイミング生成部と、
カスケード構造に連結され、最初の駆動ＩＣに同期信号に基づいて前記表示駆動装置が生成した前記第１制御信号が入力されることで、前記第１制御信号が駆動ＩＣにより遅延された伝達信号をカスケード方式で次の駆動ＩＣに伝達する複数の駆動ＩＣを備え、前記複数の画素に前記複数の駆動ＩＣを通じて駆動信号を出力する駆動回路部と、
前記第１制御信号及び前記複数の駆動ＩＣそれぞれの前記伝達信号に対して、前記非正常駆動ＩＣが出力すべき前記伝達信号を前記同期信号に基づいて回復させた回復信号を生成する回復信号生成部と、
前記複数の駆動ＩＣのうち、正常に動作しない非正常駆動ＩＣを検出する不良検出部と、
前記非正常駆動ＩＣより後段に連結された駆動ＩＣに前記回復信号を出力する回復信号出力部と、
前記不良検出部により前記非正常駆動ＩＣが検出されたときに、前記非正常駆動ＩＣの表示データを、前記非正常駆動ＩＣ以外の少なくとも一つの正常駆動ＩＣを通じて出力するように制御する代替表示制御部と、を備え、
前記代替表示制御部は、重要データを表示する重要領域に対する情報と前記重要領域にデータを表示できない場合に前記重要領域の代わりにデータを表示できる代替領域についての情報を保存する重要領域情報保存部と、前記不良検出部から前記非正常駆動ＩＣ情報を入力されて前記非正常駆動ＩＣが駆動するピクセル領域が重要領域であるか否かを判断する代替要件判断部と、前記非正常駆動ＩＣが駆動するピクセル領域が重要領域であれば非正常駆動ＩＣが駆動する重要領域に表示されるデータを前記代替領域に表示するように元の入力画像データを修正して出力する代替データ生成部を有することを特徴とする表示装置。
【請求項１４】
前記回復信号生成部は、前記複数の駆動ＩＣそれぞれの前記伝達信号と同じタイミングで、前記回復信号を生成することを特徴とする請求項１３に記載の表示装置。
【請求項１５】
前記タイミング生成部は、垂直同期信号及び水平同期信号に基づいて、前記第１制御信号を生成し、
前記回復信号生成部は、前記垂直同期信号、前記水平同期信号及び前記第１制御信号のうち少なくとも一つまたはこれらの組み合わせに基づいて、前記回復信号を生成することを特徴とする請求項１３または１４に記載の表示装置。
【請求項１６】
前記回復信号生成部は、前記表示装置の解像度、または前記駆動ＩＣの個数を表す予め保存された駆動情報にさらに基づいて、前記回復信号を生成し、
前記表示装置は、前記駆動情報を保存するレジスタをさらに備えることを特徴とする請求項１５に記載の表示装置。
【請求項１７】
前記不良検出部は、
前記複数の駆動ＩＣそれぞれから出力される伝達信号を検出する伝達信号検出部と、
前記検出された伝達信号と前記回復信号とを比較して、前記非正常駆動ＩＣを検出する比較部と、を備えることを特徴とする請求項１３〜１６のいずれか一項に記載の表示装置。
【請求項１８】
前記比較部は、前記検出された伝達信号と前記回復信号とが異なる駆動ＩＣを前記非正常駆動ＩＣと判断することを特徴とする請求項１７に記載の表示装置。
【請求項１９】
前記駆動回路部は、データ駆動回路であり、前記第１制御信号は、水平同期開始信号であることを特徴とする請求項１３〜１８のいずれか一項に記載の表示装置。
【請求項２０】
前記駆動回路部は、走査駆動回路であり、前記第１制御信号は、垂直同期開始信号であることを特徴とする請求項１３〜１８のいずれか一項に記載の表示装置。
【請求項２１】
前記複数の駆動ＩＣの前記伝達信号が伝達される方向であるカスケード方向を調節するカスケード方向調節部をさらに備えることを特徴とする請求項１３〜２０のいずれか一項に記載の表示装置。
【請求項２２】
表示装置を駆動する表示装置の駆動方法であって、
前記表示装置は、カスケード構造に連結され、最初の駆動ＩＣに同期信号に基づいて前記表示駆動装置が生成した第１制御信号が入力されることで、前記第１制御信号が駆動ＩＣにより遅延された伝達信号をカスケード方式で次の駆動ＩＣに伝達する複数の駆動ＩＣを備え、
前記駆動方法は、
前記第１制御信号及び前記複数の駆動ＩＣそれぞれの前記伝達信号に対して、前記非正常駆動ＩＣが出力すべき前記伝達信号を前記同期信号に基づいて回復させた回復信号を生成するステップと、
前記複数の駆動ＩＣのうち、正常に動作しない非正常駆動ＩＣを検出するステップと、
前記非正常駆動ＩＣより後段に連結された駆動ＩＣに前記回復信号を出力するステップと、
前記非正常駆動ＩＣが検出されたときに、前記非正常駆動ＩＣの表示データを、前記非正常駆動ＩＣ以外の少なくとも一つの正常駆動ＩＣを通じて出力するように制御するステップと、を含み、
前記制御するステップは、重要データを表示する重要領域に対する情報と前記重要領域にデータを表示できない場合に前記重要領域の代わりにデータを表示できる代替領域についての情報を保存するステップと、前記検出された前記非正常駆動ＩＣに関する非正常駆動ＩＣ情報に基づいて前記非正常駆動ＩＣが駆動するピクセル領域が重要領域であるか否かを判断するステップと、前記非正常駆動ＩＣが駆動するピクセル領域が重要領域であれば非正常駆動ＩＣが駆動する重要領域に表示されるデータを前記代替領域に表示するように元の入力画像データを修正して出力するステップとを有することを特徴とする表示装置の駆動方法。
【請求項２３】
前記回復信号を生成するステップは、前記複数の駆動ＩＣそれぞれの前記伝達信号と同じタイミングで、前記回復信号を生成することを特徴とする請求項２２に記載の表示装置の駆動方法。
【請求項２４】
前記回復信号を生成するステップは、垂直同期信号、水平同期信号及び前記第１制御信号のうち少なくとも一つまたはこれらの組み合わせに基づいて、前記回復信号を生成することを特徴とする請求項２２または２３に記載の表示装置の駆動方法。
【請求項２５】
非正常駆動ＩＣを検出するステップは、
前記複数の駆動ＩＣそれぞれから出力される伝達信号を検出するステップと、
前記検出された伝達信号と前記回復信号とを比較して、前記非正常駆動ＩＣを検出する比較及び検出ステップと、
を含むことを特徴とする請求項２２〜２４のいずれか一項に記載の表示装置の駆動方法。
【請求項２６】
前記比較及び検出ステップは、前記検出された伝達信号と前記回復信号とが異なる駆動ＩＣを前記非正常駆動ＩＣと判断することを特徴とする請求項２５に記載の表示装置の駆動方法。
【請求項２７】
前記第１制御信号を生成して、前記最初の駆動ＩＣに印加するタイミング制御ステップをさらに含むことを特徴とする請求項２２〜２６のいずれか一項に記載の表示装置の駆動方法。
【請求項２８】
前記タイミング制御ステップは、垂直同期信号及び水平同期信号に基づいて、前記第１制御信号を生成し、
前記回復信号を生成するステップは、前記垂直同期信号、前記水平同期信号及び前記第１制御信号のうち少なくとも一つまたはこれらの組み合わせに基づいて、前記回復信号を生成することを特徴とする請求項２７に記載の表示装置の駆動方法。
【請求項２９】
前記回復信号を生成するステップは、前記表示装置の解像度、または前記駆動ＩＣの個数を表す予め保存された駆動情報にさらに基づいて、前記回復信号を生成することを特徴とする請求項２４または２８に記載の表示装置の駆動方法。
【請求項３０】
前記複数の駆動ＩＣは、データ駆動回路の駆動ＩＣであり、前記第１制御信号は、水平同期開始信号であることを特徴とする請求項２２〜２９のいずれか一項に記載の表示装置の駆動方法。
【請求項３１】
前記複数の駆動ＩＣは、走査駆動回路の駆動ＩＣであり、前記第１制御信号は、垂直同期開始信号であることを特徴とする請求項２２〜２９のいずれか一項に記載の表示装置の駆動方法。
【請求項３２】
前記複数の駆動ＩＣの前記伝達信号が伝達される方向であるカスケード方向を調節するステップをさらに含むことを特徴とする請求項２２〜３１のいずれか一項に記載の表示装置の駆動方法。
【発明の詳細な説明】
【技術分野】
【０００１】
本発明は、カスケード構造に連結された複数の駆動ＩＣ（Ｉｎｔｅｇｒａｔｅｄ  Ｃｉｒｃｕｉｔ）を利用する表示装置、表示駆動装置、及び表示装置の駆動方法に関する。
【背景技術】
【０００２】
表示装置は、データ駆動部で入力データをデータ駆動信号に変換し、走査駆動部で各ピクセルの走査を制御して、各ピクセルの輝度を調節することによって、入力データに対応する映像を表示する。データ駆動部及び走査駆動部は、タイミング制御部の制御信号によって決定されるタイミングによって動作される。また、データ駆動部及び走査駆動部は、複数の駆動ＩＣで構成される。
【発明の概要】
【発明が解決しようとする課題】
【０００３】
本発明の目的は、カスケード構造に連結された複数の駆動ＩＣを含む表示装置において、一の駆動ＩＣが故障により非正常動作の状態になることで該駆動ＩＣにカスコード構造に連結された駆動ＩＣ以降の駆動ＩＣに信号が正しく伝達されないという問題を防止するためのものである。
【課題を解決するための手段】
【０００４】
上記課題を解決するために本発明に係る表示駆動装置は、複数の駆動ＩＣに制御信号を出力する表示駆動装置であって、前記複数の駆動ＩＣは、カスケード構造に連結され、最初の駆動ＩＣに第１制御信号が入力されることで、前記第１制御信号に対応する伝達信号をカスケード方式で次の駆動ＩＣに伝達し、前記表示駆動装置は、前記第１制御信号及び前記複数の駆動ＩＣそれぞれの前記伝達信号に対して回復信号を生成する回復信号生成部と、前記複数の駆動ＩＣのうち、正常に動作しない非正常駆動ＩＣを検出する不良検出部と、前記非正常駆動ＩＣに前記回復信号を出力する回復信号出力部と、を備えることを特徴とする。
【０００５】
前記回復信号生成部は、前記第１制御信号及び前記複数の駆動ＩＣそれぞれの前記伝達信号と同じタイミングで、前記回復信号を生成することができる。
【０００６】
前記回復信号生成部は、垂直同期信号、水平同期信号及び前記第１制御信号のうち少なくとも一つまたはこれらの組み合わせに基づいて、前記回復信号を生成することができる。
【０００７】
前記不良検出部は、前記複数の駆動ＩＣそれぞれから出力される伝達信号を検出する伝達信号検出部と、前記検出された伝達信号と前記回復信号とを比較して、前記非正常駆動ＩＣを検出する比較部と、を備えることができる。
【０００８】
前記比較部は、前記検出された伝達信号と前記回復信号とが異なる駆動ＩＣを前記非正常駆動ＩＣと判断することができる。
【０００９】
前記第１制御信号を生成して、前記最初の駆動ＩＣに印加するタイミング生成部をさらに備えることができる。
【００１０】
前記タイミング生成部は、垂直同期信号及び水平同期信号に基づいて、前記第１制御信号を生成し、前記回復信号生成部は、前記垂直同期信号、前記水平同期信号及び前記第１制御信号のうち少なくとも一つまたはこれらの組み合わせに基づいて、前記回復信号を生成することができる。
【００１１】
前記回復信号生成部は、前記表示駆動装置の動作環境を表す予め保存された駆動情報にさらに基づいて、前記回復信号を生成し、前記表示駆動装置は、前記駆動情報を保存するレジスタをさらに備えることができる。
【００１２】
前記非正常駆動ＩＣの表示データを、前記非正常駆動ＩＣ以外の少なくとも一つの正常駆動ＩＣを通じて出力するように制御する代替表示制御部をさらに備えることができる。
【００１３】
前記複数の駆動ＩＣは、データ駆動回路の駆動ＩＣであり、前記第１制御信号は、水平同期開始信号でありうる。
【００１４】
前記複数の駆動ＩＣは、走査駆動回路の駆動ＩＣであり、前記第１制御信号は、垂直同期開始信号でありうる。
【００１５】
前記複数の駆動ＩＣのカスケード方向を調節するカスケード方向調節部をさらに備えることができる。
【００１６】
カスケード構造に連結され、最初の駆動ＩＣに第１制御信号が入力されることで、前記第１制御信号に対応する伝達信号をカスケード方式で次の駆動ＩＣに伝達する前記複数の駆動ＩＣをさらに備えることができる。
【００１７】
また、本発明に係る表示装置は、少なくとも一つの発光素子及び画素回路を備える複数の画素を含む表示部と、第１制御信号を生成して出力するタイミング生成部と、カスケード構造に連結され、最初の駆動ＩＣに前記第１制御信号が入力されることで、前記第１制御信号に対応する伝達信号をカスケード方式で次の駆動ＩＣに伝達する複数の駆動ＩＣを備え、前記複数の画素に前記複数の駆動ＩＣを通じて駆動信号を出力する駆動回路部と、前記第１制御信号及び前記複数の駆動ＩＣそれぞれの前記伝達信号に対して回復信号を生成する回復信号生成部と、前記複数の駆動ＩＣのうち、正常に動作しない非正常駆動ＩＣを検出する不良検出部と、前記非正常駆動ＩＣに前記回復信号を出力する回復信号出力部と、を備えることを特徴とする。
【００１８】
また、本発明に係る表示装置の駆動方法は、表示装置を駆動する表示装置の駆動方法であって、前記表示装置は、カスケード構造に連結され、最初の駆動ＩＣに第１制御信号が入力されることで、前記第１制御信号に対応する伝達信号をカスケード方式で次の駆動ＩＣに伝達する複数の駆動ＩＣを備え、前記駆動方法は、前記第１制御信号及び前記複数の駆動ＩＣそれぞれの前記伝達信号に対して回復信号を生成するステップと、前記複数の駆動ＩＣのうち、正常に動作しない非正常駆動ＩＣを検出するステップと、前記非正常駆動ＩＣに前記回復信号を出力するステップと、を含むことを特徴とする。
【発明の効果】
【００１９】
カスケード構造に連結された複数の駆動ＩＣにおいて、一の駆動ＩＣに故障が発生した場合でも、回復信号を生成しこれを利用することで次の駆動ＩＣに正常な伝達信号を伝達する。これにより、駆動ＩＣに故障が発生した場合であっても非正常動作するピクセルの範囲を最小化することができる。
【００２０】
また、重要領域に該当するピクセルを駆動する駆動ＩＣが故障した時、他のピクセル領域に重要領域の情報を表示することにより、ユーザに重要情報を安定的に提供することができる。
【図面の簡単な説明】
【００２１】
【図１】本発明の一実施形態に係る表示装置の概略的な構造を示す図である。
【図２】従来技術の問題点を説明するための図である。
【図３】従来技術の問題点を説明するための図である。
【図４】本発明の一実施形態に係る表示装置の構造を示す図である。
【図５】本発明の一実施形態に係る表示装置のデータ駆動ＩＣについての回復信号を示すタイミング図である。
【図６】本発明の一実施形態に係る表示装置の不良検出部の構造を示す図面である。
【図７】本発明の一実施形態に係る表示装置の駆動例を示す図面である。
【図８】本発明の一実施形態に係る表示装置の駆動例を示す図面である。
【図９】本発明の一実施形態に係る表示装置の駆動例を示す図面である。
【図１０】本発明の一実施形態に係る表示装置の代替表示制御部の構造を示す図面である。
【図１１】本発明の他の実施形態に係る表示装置のタイミング制御部及びデータ駆動部の構造を示す図面である。
【図１２】本発明の一実施形態に係る表示装置の駆動方法を示すフローチャートである。
【図１３】本発明の一実施形態に係る表示装置の駆動方法の非正常駆動ＩＣ検出過程を示すフローチャートである。
【図１４】本発明の一実施形態に係る表示装置の駆動方法の代替表示する過程を示すフローチャートである。
【発明を実施するための形態】
【００２２】
下記の説明及び添付された図面は、本発明による動作を理解するためのものであり、当業者が容易に発明の実施が可能な部分は省略する。
【００２３】
また、本明細書及び図面は、本発明を限定するものではなく、本発明の範囲は、特許請求の範囲によって定められる。本明細書で使用された用語は、本発明を最も適切に表現でき、本発明の技術的思想に符合する意味及び概念で解釈されなければならない。
【００２４】
以下、添付された図面を参照して、本発明の実施形態を説明する。
【００２５】
図１は、本発明の一実施形態に係る表示装置の概略的な構造を示す図である。
【００２６】
本実施形態に係る表示装置１００は、タイミング制御部１１０、データ駆動部１２０、走査駆動部１３０及び表示部１４０を備える。
【００２７】
タイミング制御部１１０は、垂直同期信号ＶＳＹＮＣ、水平同期信号ＨＳＹＮＣ、データイネーブル信号ＤＥ、及び映像データ信号ＤＡＴＡ＿ｉｎが入力され、データ駆動部１２０の仕様に合わせて映像データ信号ＤＡＴＡ＿ｉｎを変換して、ＲＧＢデータ信号ＤＡＴＡをデータ駆動部１２０に出力する。データ電圧Ｄ１，Ｄ２，…，ＤＭをデータ駆動部１２０から表示部１４０に出力するための基準タイミングを提供する水平同期開始信号ＳＴＨ及びロード信号ＴＰを生成して、データ駆動部１２０に出力する。
【００２８】
タイミング制御部１１０は、最初の走査ラインの選択のための垂直同期開始信号ＳＴＶ、次のゲートラインを順次に選択するゲートクロック信号ＣＰＶ、及び走査駆動部１３０の出力を制御する出力イネーブル信号ＯＥを走査駆動部１３０に対して出力する。
【００２９】
データ駆動部１２０は、複数のデータ駆動ＩＣからなり、タイミング制御部１１０から入力されたＲＧＢデータ信号ＤＡＴＡ及び制御信号ＳＴＨ，ＴＰが入力され、それぞれのデータラインについてのデータ電圧Ｄ１，Ｄ２，…，ＤＭを生成する。生成されたデータ電圧Ｄ１，Ｄ２，…，ＤＭは、それぞれのデータラインを通じて、表示部１４０の各ピクセルに出力される。
【００３０】
走査駆動部１３０は、複数の走査駆動ＩＣからなり、タイミング制御部１１０から提供される制御信号ＣＰＶ，ＳＴＶ，ＯＥによって、表示部１４０のそれぞれの走査ラインについての走査信号Ｇ１，Ｇ２，…，ＧＮを生成する。生成された走査信号Ｇ１，Ｇ２，…，ＧＮは、それぞれの走査ラインを通じて、表示部１４０の各ピクセルに出力される。
【００３１】
表示部１４０は、データラインと走査ラインとが交差する領域ごとに形成された複数のピクセルを含む。それぞれのピクセルは、発光素子及び駆動回路を備え、走査信号Ｇ１，Ｇ２，…，ＧＮ及びデータ電圧Ｄ１，Ｄ２，…，ＤＭによって駆動される。駆動回路は、走査信号Ｇ１，Ｇ２，…，ＧＮ及びデータ電圧Ｄ１，Ｄ２，…，ＤＭに応答して、発光素子に発光駆動電流または電圧を出力し、発光素子は、発光駆動電流または電圧に応答して、入力データに対応する輝度の光を発光する。各ピクセルの構造は、表示装置の種類によって変わりうる。発光素子は、例えば、ＯＬＥＤ（Ｏｒｇａｎｉｃ  Ｌｉｇｈｔ  Ｅｍｉｔｔｉｎｇ  Ｄｉｏｄｅ）、ＬＣＤ（Ｌｉｑｕｉｄ  Ｃｒｙｓｔａｌ  Ｄｉｏｄｅ）でありうる。また、表示装置は、ＰＤＰ（Ｐｌａｓｍａ  Ｄｉｓｐｌａｙ  Ｐａｎｅｌ）でありうる。
【００３２】
図２及び図３は、従来技術の問題点を説明するための図である。
【００３３】
図２に示したように、データ駆動部１２０は、カスケード構造に連結されて、カスケード方式で信号を伝達する複数のデータ駆動ＩＣ  ＳＩＣ１，ＳＩＣ２，ＳＩＣ３，ＳＩＣ４，ＳＣＩ５を備える。走査駆動部１３０は、カスケード構造に連結されて、カスケード方式で信号を伝達する複数のゲート駆動ＩＣ  ＧＩＣ１，ＧＩＣ２を備える。
【００３４】
例えば、データ駆動部１２０の第１データ駆動ＩＣ  ＳＩＣ１に水平同期開始信号ＳＴＨが出力されれば、各データ駆動ＩＣの遅延回路２１０を経て、一定の遅延を有して順次に次のデータ駆動ＩＣ  ＳＩＣ２，ＳＩＣ３，ＳＩＣ４，ＳＩＣ５に伝達信号ＳＩＣ１＿ＤＩＯ，ＳＩＣ２＿ＤＩＯ，ＳＩＣ３＿ＤＩＯ，ＳＩＣ４＿ＤＩＯが出力される。それぞれのデータ駆動ＩＣ  ＳＩＣ１〜ＳＩＣ５は、水平同期開始信号ＳＴＨまたは伝達信号ＳＩＣ１＿ＤＩＯ〜ＳＩＣ４＿ＤＩＯに応答してイネーブルされる。
【００３５】
しかし、もし、第２データ駆動ＩＣ  ＳＩＣ２が正常に動作しなければ、第２データ駆動ＩＣ  ＳＩＣ２から第２伝達信号ＳＩＣ２＿ＤＩＯが出力されないため、図３に示したように、第２データ駆動ＩＣ  ＳＩＣ２以後に位置した第３データ駆動ＩＣ  ＳＩＣ３及び第４データ駆動ＩＣ  ＳＩＣ４でも、伝達信号ＳＩＣ３＿ＤＩＯ，ＳＩＣ４＿ＤＩＯが出力されない。これによって、非正常状態の第２データ駆動ＩＣ  ＳＩＣ２がイネーブルとならないだけでなく、正常状態である第３データ駆動ＩＣ  ＳＩＣ３、第４データ駆動ＩＣ  ＳＩＣ４、及び第５データ駆動ＩＣ  ＳＩＣ５もイネーブルとならず、非正常状態のデータ駆動ＩＣ以後の駆動ＩＣが動作しないことになる。したがって、第２データ駆動ＩＣ  ＳＩＣ２の故障により、第２データ駆動ＩＣ  ＳＩＣ２により駆動されるピクセル領域（Ｂ領域）だけでなく、第３〜第５データ駆動ＩＣ  ＳＩＣ２〜ＳＩＣ５により駆動されるピクセル領域（Ｃ領域、Ｄ領域及びＥ領域）にもデータ駆動信号が出力されず、Ｂ〜Ｅ領域に映像が表示されない。
【００３６】
図４は、本実施形態に係る表示装置１００Ａの構造を示す図である。
【００３７】
本実施形態によれば、カスケード構造に連結された複数の駆動ＩＣを備える表示装置１００Ａにおいて、それぞれの複数の駆動ＩＣ  ＳＩＣ１〜ＳＩＣ５及びＧＩＣ１，ＧＩＣ２から出力される伝達信号ＳＩＣ１＿ＤＩＯ〜ＳＩＣ５＿ＤＩＯ及びＧＩＣ１＿ＤＩＯ，ＧＩＣ２＿ＤＩＯを検出して、非正常駆動ＩＣを検出し、非正常駆動ＩＣの出力端に、回復信号線ＲＳ１〜ＲＳ５を通じて回復信号ＩＮＴ＿ＤＩＯ１〜ＩＮＴ＿ＤＩＯ５を出力して、非正常駆動ＩＣに対応するピクセル領域以外のピクセル領域は、正常に動作させる構造が提供される。図４及び図７には、第１〜４伝達信号ＳＩＣ１＿ＤＩＯ〜ＳＩＣ４＿ＤＩＯ及び第１ゲート伝達信号ＧＩＣ１＿ＤＩＯを検出する実施形態を示したが、他の実施形態として、第５伝達信号ＳＩＣ５＿ＤＩＯ及び第２ゲート伝達信号ＧＩＣ２＿ＤＩＯをさらに検出する実施形態も可能である。
【００３８】
以下、第１〜第５伝達信号ＳＩＣ１＿ＤＩＯ〜ＳＩＣ５＿ＤＩＯ及び第１、第２ゲート伝達信号ＧＩＣ１＿ＤＩＯ，ＧＩＣ２＿ＤＩＯをいずれも検出する実施形態を中心に説明する。
【００３９】
本実施形態に係るタイミング制御部１１０ａは、タイミング生成部４１０、レジスタ４２０、回復信号生成部４３０、回復信号出力部４４０、不良検出部４５０、代替表示制御部４６０、水平カスケード方向調節部４７０、及び垂直カスケード方向調節部４８０を備える。本実施形態は、回復信号生成部４３０、回復信号出力部４４０及び不良検出部４５０がタイミング制御部１１０ａに備えられるが、本発明は、これに限定されず、回復信号生成部４３０、回復信号出力部４４０及び不良検出部４５０が、データ駆動部１２０及び／またはゲート駆動部１３０に備えられてもよく、別個の回路部で実現されることも可能である。
【００４０】
タイミング生成部４１０は、図１で前述したタイミング制御部１１０の全般的な動作を行う。すなわち、垂直同期信号ＶＳＹＮＣ及び水平同期信号ＨＳＹＮＣから、垂直同期開始信号ＳＴＶ及び水平同期開始信号ＳＴＨを生成して出力する。垂直同期開始信号ＳＴＶ及び水平同期開始信号ＳＴＨのタイミングは、それぞれ垂直同期信号ＶＳＹＮＣ及び水平同期信号ＨＳＹＮＣにより決定される。このとき、タイミング生成部４１０は、レジスタ４２０に予め保存された駆動情報に基づいて、垂直同時開始信号ＳＴＶ及び水平同期開始信号ＳＴＨを生成できる。前記予め保存された駆動情報は、表示装置１００Ａの動作環境を表す情報であって、解像度、データ駆動ＩＣの個数、走査駆動ＩＣの個数などを表す。垂直同期開始信号ＳＴＶは、ゲート駆動部１３０に出力され、水平同期開始信号ＳＴＨは、データ駆動部１２０に出力される。
【００４１】
本実施形態に係る表示装置１００Ａは、カスケード方向を調節する水平カスケード方向調節部４７０及び垂直カスケード方向調節部４８０を備える。垂直同期開始信号ＳＴＶは、垂直カスケード方向調節部４８０の制御によって、走査駆動部１３０の最初の走査駆動ＩＣ  ＧＩＣ１に出力されるか、または最後の走査駆動ＩＣ  ＧＩＣ２に出力される。水平同期開始信号ＳＴＨは、水平カスケード方向調節部４７０の制御によって、データ駆動部１２０の最初のデータ駆動ＩＣ  ＳＩＣ１に出力されるか、または最後のデータ駆動ＩＣ  ＳＩＣ５に出力される。水平カスケード方向調節部４７０及び垂直カスケード方向調節部４８０は、例えば、図４に示したようにスイッチング素子で構成することができる。
【００４２】
回復信号生成部４３０は、タイミング生成部４１０に入力される垂直同期信号ＶＳＹＮＣ、水平同期信号ＨＳＹＮＣ、レジスタ４２０に予め保存された駆動情報、タイミング生成部４１０から出力される垂直同期開始信号ＳＴＶ及び水平同期開始信号ＳＴＨに基づいて、回復信号ＩＮＴ＿ＤＩＯ１〜ＩＮＴ＿ＤＩＯ５、ＩＮＴＧ＿ＤＩＯ１〜ＩＮＴＧ＿ＤＩＯ２を生成できる。
【００４３】
他の例として、回復信号生成部４３０は、データ駆動部１２０ａの最後のデータ駆動ＩＣ  ＳＩＣ５についての回復信号ＩＮＴ＿ＤＩＯ４、及び走査駆動部１３０の最後の走査駆動ＩＣ  ＧＩＣ２についての回復信号ＩＮＴＧ＿ＤＩＯ２は生成しなくてもよい。
【００４４】
以下、説明の便宜のために、データ駆動部１２０ａの伝達信号ＳＩＣ１＿ＤＩＯ〜ＳＩＣ５＿ＤＩＯ及び回復信号ＩＮＴ＿ＤＩＯ１〜ＩＮＴ＿ＤＩＯ５を中心に説明する。ゲート駆動部１３０の伝達信号ＧＩＣ１＿ＤＩＯ〜ＧＩＣ２＿ＤＩＯ及び回復信号ＩＮＴＧ＿ＤＩＯ１〜ＩＮＴＧ＿ＤＩＯ２は、垂直同期信号ＶＳＹＮＣ、垂直同期開始信号ＳＴＶ、及びレジスタ４２０に予め保存された情報に基づいて、データ駆動部１２０と同じ方式で生成されて駆動される。
【００４５】
図５は、本実施形態に係る表示装置のデータ駆動ＩＣ  ＳＩＣ１〜ＳＩＣ５についての回復信号ＩＮＴ＿ＤＩＯ１〜ＩＮＴ＿ＤＩＯ５を示すタイミング図である。
【００４６】
図５に示したように、データ駆動ＩＣ  ＳＩＣ１〜ＳＩＣ５についての回復信号ＩＮＴ＿ＤＩＯ１〜ＩＮＴ＿ＤＩＯ５は、伝達信号ＳＩＣ１＿ＤＩＯ〜ＳＩＣ５＿ＤＩＯと同じ波形に生成される。また、回復信号ＩＮＴ＿ＤＩＯ１〜ＩＮＴ＿ＤＩＯ５は、水平同期開始信号ＨＳＹＮＣに基づいて生成されるため、伝達信号ＳＩＣ１＿ＤＩＯ〜ＳＩＣ５＿ＤＩＯと同じタイミングで生成される。
【００４７】
回復信号生成部４３０で生成された回復信号ＩＮＴ＿ＤＩＯ１〜ＩＮＴ＿ＤＩＯ５は、回復信号出力部４４０及び不良検出部４５０に出力される。
【００４８】
不良検出部４５０は、検出された伝達信号ＳＩＣ１＿ＤＩＯ〜ＳＩＣ５＿ＤＩＯ及び回復信号ＩＮＴ＿ＤＩＯ１ないしＩＮＴ＿ＤＩＯ５に基づいて、正常に動作しない非正常駆動ＩＣを検出する。不良検出部４５０は、それぞれの駆動ＩＣ  ＳＩＣ１〜ＳＩＣ５に対して、検出された伝達信号ＳＩＣ１＿ＤＩＯ〜ＳＩＣ５＿ＤＩＯと回復信号ＩＮＴ＿ＤＩＯ１〜ＩＮＴ＿ＤＩＯ５とを比較し、伝達信号と回復信号とが異なる駆動ＩＣを非正常駆動ＩＣとして判別する。
【００４９】
図６は、本発明の一実施形態に係る不良検出部４５０の構造を示す図である。不良検出部４５０は、比較部６１０及び伝達信号検出部６２０を備える。
【００５０】
伝達信号検出部６２０は、それぞれの駆動ＩＣ  ＳＩＣ１〜ＳＩＣ５、ＧＩＣ１、ＧＩＣ２から伝達信号ＳＩＣ１＿ＤＩＯ〜ＳＩＣ５＿ＤＩＯを検出して、比較部６１０に伝達する。
【００５１】
比較部６１０は、それぞれの駆動ＩＣ  ＳＩＣ１〜ＳＩＣ５に対して、伝達信号ＳＩＣ１＿ＤＩＯ〜ＳＩＣ５＿ＤＩＯと回復信号ＩＮＴ＿ＤＩＯ１〜ＩＮＴ＿ＤＩＯ５とを比較して、伝達信号と回復信号とが異なる非正常駆動ＩＣを検出する。このために、比較部６１０は、少なくとも一つの比較回路（図示せず）を備える。比較部６１０は、それぞれの駆動ＩＣ  ＳＩＣ１〜ＳＩＣ５に対応する回復信号イネーブル信号ＯＥ１〜ＯＥ４を回復信号出力部４４０に出力する。図４のＯＥＧは、第１ゲート駆動ＩＣ  ＧＩＣ１についての回復信号イネーブル信号を示す。比較部６１０は、正常駆動ＩＣに対応する回復信号イネーブル信号は論理ローレベルに設定し、非正常駆動ＩＣに対応する回復信号イネーブル信号は論理ハイレベルに設定する。また、比較部６１０は、非正常駆動ＩＣの発生如何及び非正常駆動ＩＣの位置を表す非正常駆動ＩＣ情報（Ｅｒｒｏｒ＆Ｐｏｓｉｔｉｏｎ）を出力できる。
【００５２】
回復信号出力部４４０は、非正常駆動ＩＣに回復信号出力線ＲＳ１〜ＲＳ４、ＲＳＧを通じて回復信号を出力する。回復信号出力部４４０は、不良検出部４５０から出力された回復信号イネーブル信号ＯＥ１ないしＯＥ４、ＯＥＧを入力されて、論理ハイレベルに活性化された回復信号イネーブル信号に対応する回復信号を、回復信号出力線ＲＳ１〜ＲＳ４、ＲＳＧを通じて非正常駆動ＩＣの出力端に印加する。回復信号出力部４４０は、例えば、３状態出力バッファにより構成することができる。
【００５３】
図７〜図９は、本発明の一実施形態に係る表示装置の駆動例を示す図である。
【００５４】
図７に示したように、第２データ駆動ＩＣ  ＳＩＣ２が非正常状態である場合、図９に示したように、第２データ駆動ＩＣ  ＳＩＣ２に対応する第２回復信号イネーブル信号ＯＥ２が論理ハイレベルに遷移される。これにより、第２データ駆動ＩＣ  ＳＩＣ２の出力端に、第２伝達信号ＳＩＣ２＿ＤＩＯに対応する第２回復信号ＩＮＴ＿ＤＩＯ２が出力される。このとき、回復信号出力部４４０は、正常駆動ＩＣに対応する回復信号出力線ＲＳ１，ＲＳ３，ＲＳ４，ＲＳＧはハイインピーダンス状態に設定し、非正常駆動ＩＣ、すなわち、回復信号イネーブル信号が論理ハイレベルである駆動ＩＣについての出力線ＲＳ２にのみ回復信号を出力させる。本実施形態に係る表示装置１００Ａは、第２データ駆動ＩＣ  ＳＩＣ２が非正常状態であるとしても、第２回復信号ＩＮＴ＿ＤＩＯ２により、第３〜第５データ駆動ＩＣ  ＳＩＣ３〜ＳＩＣ５に伝達信号を伝達して、図８に示したように、全ての駆動ＩＣで伝達信号が正常に伝達される。また、図７に示したように、非正常状態である第２データ駆動ＩＣ  ＳＩＣ２により駆動されるピクセル領域（Ｂ領域）を除いたあらゆるピクセル領域（Ａ領域、Ｃ領域、Ｄ領域及びＥ領域）を正常に動作させることができる。
【００５５】
代替表示制御部４６０は、非正常駆動ＩＣにより駆動されるピクセル領域に表示されるデータを、非正常駆動ＩＣを除いた少なくとも一つの正常駆動ＩＣにより駆動されるピクセル領域に表示するように、入力映像データＤａｔａ＿ｉｎを生成してタイミング生成部４１０に出力する。
【００５６】
図１０は、本発明の一実施形態に係る表示装置の代替表示制御部４６０の構造を示す図面である。本実施形態によれば、代替表示制御部４６０は、非正常駆動ＩＣにより駆動されるピクセル領域が重要データを表示する領域である場合にのみ、非正常駆動ＩＣにより駆動されるピクセル領域についてのデータを、少なくとも一つの正常駆動ＩＣにより駆動されるピクセル領域に表示できる。本実施形態による代替表示制御部４６０は、重要領域情報保存部１０１０、代替要件判断部１０２０及び代替データ生成部１０３０を備える。
【００５７】
重要領域情報保存部１０１０は、重要データを表示する重要領域についての情報を保存する。例えば、自動車の計器板に備えられた表示装置の場合、現在の速度、エンジンの回転数など重要情報を表示する。しかし、現在の速度を表示するピクセル領域を駆動する駆動ＩＣに故障が発生した場合、運転手は、現在の速度についての情報を確認できず、運転中に危険にさらされる。一方、累積走行距離のような情報は、現在表示されなくても、運転手に大きな危険をもたらさない。したがって、現在の速度のように、重要情報を表示する重要領域についての情報を重要領域情報保存部１０１０に予め保存する。
【００５８】
さらに、重要領域情報保存部１０１０は、重要領域にデータを表示できない場合に、その代わりにデータを表示できる代替領域についての情報をさらに含む。例えば、第２データ駆動回路ＳＩＣ２が非正常状態となり、Ｂ領域にデータを表示できず、かつ、Ｂ領域は、現在の速度を表示する重要領域であるのでＢ領域のデータを他の領域に表示しなければならないと仮定する。このとき、Ｂ領域のデータを任意の領域、例えば、Ｃ領域に代わりに表示したが、Ｃ領域は、エンジンの回転数を表示する領域であるため他の重要領域であるとするならば、現在の速度を表示するために、エンジンの回転数を表示できないといった状況が発生する。したがって、重要領域保存部１０１０は、重要領域を代替できる代替領域についての情報を予め保存するようにする。
【００５９】
代替要件判断部１０２０は、不良検出部４５０から非正常駆動ＩＣ情報（Ｅｒｒｏｒ＆Ｐｏｓｉｔｉｏｎ）を入力されて、非正常駆動ＩＣが駆動するピクセル領域が重要領域であるかどうかを判断する。このとき、代替要件判断部１０２０は、重要領域保存部１０１０に予め保存された重要領域についての情報に基づいて判断する。代替要件判断部１０２０は、非正常駆動ＩＣが駆動するピクセル領域が重要領域ならば、重要領域に表示される情報を表示できる代替領域を決定して、代替データ生成部１０３０に代替領域についての情報を出力する。
【００６０】
一例としては、代替領域は、正常駆動ＩＣにより駆動されるピクセル領域のうち、重要領域でない他の領域のうちから選択されることができる。他の例としては、代替領域は、前述したように、重要領域情報保存部１０１０に予め保存された代替領域についての情報に基づいて選択されることができる。
【００６１】
代替データ生成部１０３０は、非正常駆動ＩＣが駆動するピクセル領域が重要領域である場合は、非正常駆動ＩＣが駆動する重要領域に表示されるデータを代替領域に表示するように、本来の入力映像データＤａｔａ＿ｏｒｇを修正してタイミング生成部４１０に出力する。一方、代替データ生成部１０３０は、非正常駆動ＩＣが駆動するピクセル領域が重要領域でない場合は、本来の入力映像データＤａｔａ＿ｏｒｇをそのままバイパスする。
【００６２】
図１１は、本発明の他の実施形態に係る表示装置のタイミング制御部１１０ｂ及びデータ駆動部１２０ｂの構造を示す図面である。
【００６３】
図１１に示したように、回復信号生成部４３０、回復信号出力部４４０及び不良検出部４５０は、データ駆動部１２０ｂ及び走査駆動部１３０にそれぞれ別々に備えられる。この場合、回復信号生成部４３０、回復信号出力部４４０及び不良検出部４５０は、データ駆動部１２０ｂのデータ駆動ＩＣ  ＳＩＣ１〜ＳＩＣ５から出力される伝達信号ＳＩＣ１＿ＤＩＯ〜ＳＩＣ５＿ＤＩＯに対してのみ検出及び回復信号動作を行い、走査駆動部１３０に対しては、別途の回復信号生成、不良検出、及び回復信号出力のための構成要素を備える。
【００６４】
他の例として、回復信号生成部４３０、回復信号出力部４４０及び不良検出部４５０は、データ駆動部１２０及び走査駆動部１３０のうちいずれか一つに備えられて、データ駆動部１２０の伝達信号及び走査駆動部１３０の伝達信号に対して、いずれも回復信号生成、不良検出、及び回復信号出力処理を行ってもよい。
【００６５】
図１２は、本発明の一実施形態に係る表示装置の駆動方法を示すフローチャートである。
【００６６】
本実施形態に係る表示装置の駆動方法は、次のように実施する。すなわち、データ駆動部１２０及び走査駆動部１３０の複数の駆動ＩＣのカスケード方向を調節する（Ｓ１２０２）。一例としては、データ駆動部１２０及び走査駆動部１３０のカスケード方向は、データが表示される方向または順序を調節するために調節される。他の例としては、駆動ＩＣの故障に対応するために、カスケード方向が調節されることができる。表示装置駆動の全体プロセスにおいて、カスケード方向調節（Ｓ１２０２）の順序は、図１２に示した順序に制限されない。
【００６７】
カスケード構造に連結されて、カスケード方式で伝達信号を伝達する複数の駆動ＩＣのうち最初の駆動ＩＣに第１制御信号を印加する（Ｓ１２０４）。第１制御信号が、データ駆動部１２０の最初のデータ駆動ＩＣ  ＳＩＣ１に印加される水平同期開始信号ＳＴＨである場合、第１制御信号は、水平同期信号ＨＳＹＮＣ及び前記表示装置の駆動環境に対して予め保存された情報を利用して生成される。第１制御信号が、走査駆動部１３０の最初の走査駆動ＩＣ  ＧＩＣ１に印加される垂直同期開始信号ＳＴＶである場合、第１制御信号は、垂直同期信号ＶＳＹＮＣ及び前記表示装置の駆動環境に対して予め保存された情報を利用して生成される。
【００６８】
複数の駆動ＩＣから伝達される伝達信号と同じ回復信号を生成する（Ｓ１２０６）。第１制御信号がデータ駆動部１２０の最初のデータ駆動ＩＣ  ＳＩＣ１に印加される水平同期開始信号ＳＴＨである場合、データ駆動部１２０の複数のデータ駆動ＩＣ  ＳＩＣ１〜ＳＩＣ５についての回復信号は、水平同期信号ＨＳＹＮＣ、水平同期開始信号ＳＴＨ、及び前記表示装置の駆動環境について予め保存された情報に基づいて生成される。第１制御信号が、走査駆動部１３０の最初の走査駆動ＩＣ  ＧＩＣ１に印加される垂直同期開始信号ＳＴＶである場合、走査駆動部１３０の複数の走査駆動ＩＣ  ＧＩＣ１〜ＧＩＣ２についての回復信号は、垂直同期信号ＶＳＹＮＣ、垂直同期開始信号ＳＴＶ、及び表示装置の駆動環境に対して予め保存された情報に基づいて生成される。
【００６９】
回復信号と検出された伝達信号とを比較して、非正常駆動ＩＣを検出する（Ｓ１２０８）。
【００７０】
図１３は、本発明の一実施形態に係る表示装置の駆動方法における非正常駆動ＩＣの検出過程を示すフローチャートである。
【００７１】
複数の駆動ＩＣから出力される伝達信号を検出する（Ｓ１３０２）。伝達信号は、第１制御信号に応答して、後続する駆動ＩＣからカスケード方式で順次に伝達されるイネーブル信号である。
【００７２】
複数の駆動ＩＣそれぞれに対して、検出された伝達信号と前記回復信号とを比較する（Ｓ１３０４）。ある駆動ＩＣに対して伝達信号と回復信号とが同じ場合（Ｓ１３０６）、その駆動ＩＣは、正常駆動ＩＣと判別され（Ｓ１３１０）、伝達信号と回復信号とが同じでない場合（Ｓ１３０６）、その駆動ＩＣは、非正常駆動ＩＣと判別される（Ｓ１３０８）。図１３の過程は、それぞれの駆動ＩＣに対して行われる。
【００７３】
非正常駆動ＩＣが検出されれば（Ｓ１２０８）、本実施形態による表示装置の駆動方法は、非正常駆動ＩＣの出力端に回復信号を出力する（Ｓ１２１０）。
【００７４】
図１４は、本発明の一実施形態に係る表示装置の駆動方法における代替表示する過程を示すフローチャートである。
【００７５】
本実施形態によれば、非正常駆動ＩＣにより駆動されるピクセル領域に表示されるデータを、非正常駆動ＩＣを除いた少なくとも一つの正常駆動ＩＣにより駆動されるピクセル領域に表示する。このとき、非正常駆動ＩＣにより駆動されるピクセル領域が重要領域である場合にのみ、非正常駆動ＩＣにより駆動されるピクセル領域に表示されるデータを他のピクセル領域に表示してもよい。
【００７６】
非正常駆動ＩＣが検出されたとき（Ｓ１２０８）、非正常駆動ＩＣにより駆動されるピクセル領域が重要領域であるか否かを判断する（Ｓ１４０２）。重要領域についての情報は、予め保存されている。
【００７７】
非正常駆動ＩＣにより駆動されるピクセル領域が重要領域である場合は（Ｓ１４０２）、重要領域のデータを、正常駆動ＩＣにより駆動される少なくとも一つの他のピクセル領域に表示するように制御する（Ｓ１４０４）。このとき、正常駆動ＩＣにより駆動される少なくとも一つの他のピクセル領域は、重要領域でない領域でありうる。
【００７８】
以上、本発明について、望ましい実施形態を中心に述べた。当業者は、本発明の本質的な思想から逸脱しない範囲で、変形された実施形態によって本発明を実施することができるということを理解できるであろう。したがって、前記開示された実施形態は、限定的な観点ではなく、説明的な観点で考慮されねばならない。本発明の範囲は、前述した本発明の実施形態についての説明において記載された事項ではなく、特許請求の範囲に記載された事項に基づいて定められるのであり、特許請求の範囲により請求された発明及び請求された発明と均等な発明は、本発明に含まれたものと解釈されなければならない。
【符号の説明】
【００７９】
１００、１００Ａ  表示装置、
１１０、１１０ａ  タイミング制御部、
１２０、１２０ａ  データ駆動部、
１３０  走査駆動部、
１４０  表示部、
２１０  遅延回路、
４１０  タイミング生成部、
４２０  レジスタ、
４３０  回復信号生成部、
４４０  回復信号出力部、
４５０  不良検出部、
４６０  代替表示制御部
４７０  水平カスケード方向調節部、
４８０  垂直カスケード方向調節部。  
【図１】
0005892726.tif 000002
【図２】
0005892726.tif 000003
【図３】
0005892726.tif 000004
【図４】
0005892726.tif 000005
【図５】
0005892726.tif 000006
【図６】
0005892726.tif 000007
【図７】
0005892726.tif 000008
【図８】
0005892726.tif 000009
【図９】
0005892726.tif 000010
【図１０】
0005892726.tif 000011
【図１１】
0005892726.tif 000012
【図１２】
0005892726.tif 000013
【図１３】
0005892726.tif 000014
【図１４】
0005892726.tif 000015